(57)【要約】【課題】撮影初期において撮影装置の内部の温度上昇に対する放熱作用の応答性を向上させる。【解決手段】筐体（５）と、筐体（５）内に収容された撮像素子（７５）および撮像制御回路（１０７）と、撮像素子（７５）と撮像制御回路（１０７）との間を上下方向に延びる中空の放熱部品（１３）とを備え、放熱部品（１３）は、上下両端側に筐体（５）の外部に通じる開口（１１７，１１９）を有し、空気が流れる流路（１２９）を構成している撮影装置（１）において、放熱部品（１３）の下側部位は、放熱部品（１３）の上側部位に比べて流路断面積が小さい部分を有している。【選択図】図３
2020202244.tif 000002
【特許請求の範囲】
【請求項１】
筐体と、
前記筐体内に収容された撮像素子および制御回路と、
前記撮像素子および前記制御回路の近傍に配置された中空の放熱部品とを備え、
前記放熱部品が、前記筐体の外部に通じる開口を両端側に有し、空気が流れる流路を構成している撮影装置であって、
前記放熱部品は、当該撮影装置が所定の撮影姿勢にあるときに、上下方向に延びる姿勢とされて、一方の前記開口である第１開口が上方に位置すると共に、他方の前記開口である第２開口が下方に位置し、
前記放熱部品のうち前記第２開口側の部位は、前記第１開口側の部位に比べて流路断面積が小さい部分を有している
ことを特徴とする撮影装置。
【請求項２】
請求項１に記載された撮影装置において、
前記放熱部品は、前記撮像素子および前記制御回路のうち一方と熱的に接続され、他方とは離間している
ことを特徴とする撮影装置。
【請求項３】
請求項１または２に記載された撮影装置において、
前記放熱部品の流路断面積は、前記撮像素子に対向する位置で相対的に大きく、前記撮像素子に対向する位置よりも前記第２開口側の位置で相対的に小さい
ことを特徴とする撮影装置。
【請求項４】
請求項１〜３のいずれか１項に記載された撮影装置において、
前記放熱部品の前記第２開口側の部位内部には、当該放熱部品の流路断面積を前記第１開口側に向かって段階的に大きくする段部が設けられている
ことを特徴とする撮影装置。
【請求項５】
請求項１〜４のいずれか１項に記載された撮影装置において、
前記筐体のうち前記放熱部品の前記第２開口が臨む側の部分には、当該撮影装置を支持する支持装置が取り付けられる第１取付部と、該第１取付部の側方で前記放熱部品の前記第２開口に通じる吸込み口とが設けられ、
前記吸込み口は、前記第１取付部側とは異なる側の側方に向けて開放されている
ことを特徴とする撮影装置。
【請求項６】
請求項１〜５のいずれか１項に記載された撮影装置において、
前記筐体のうち前記所定の撮影姿勢で左右方向における一方の側部を構成する部分には、当該撮影装置を支持する支持装置が取り付けられる第２取付部が設けられ、
前記放熱部品の前記第２開口は、前記放熱部品の前記第１開口に比べて開口面積が小さく、該第１開口に対して前記筐体のうち前記第２取付部が設けられた側部側に偏在している
ことを特徴とする撮影装置。
【発明の詳細な説明】
【技術分野】
【０００１】
本開示は、撮影装置に関する。
【背景技術】
【０００２】
デジタルビデオカメラなどの撮影装置に用いられる撮像素子は、撮像動作に伴って発熱しやすく、高温になるとノイズが増える性質を有する。また、撮影装置に搭載される画像処理プロセッサなどの制御回路も、高画質化や高性能化に伴い、消費電力が大きくなり、発熱量が増してきている。制御回路が高温になると、それ自体の信頼性が低下すると共に、制御回路で発生した熱が撮像素子に伝達することで、撮像素子にも悪影響を及ぼす。
【０００３】
そこで、撮影装置においては、様々な放熱構造が提案されている。例えば、特許文献１には、撮像素子（ＣＣＤ）と制御回路（電源回路素子）との間に上下に延びる中空の放熱部品を設けることにより、制御回路で発生した熱が撮像素子に伝達することを遮蔽した撮影装置（デジタルカメラ）が開示されている。この撮影装置では、放熱部品の内部で温められた空気を自然対流により放熱部品の上端に設けられた開口から外部に排出すると共に、外部の空気を放熱部品の下端に設けられた開口から内部に取り込んで、撮影装置の内部で発生した熱を放熱するようになっている。
【先行技術文献】
【特許文献】
【０００４】
【特許文献１】特開２００４−４８５１７号公報
【発明の概要】
【発明が解決しようとする課題】
【０００５】
ところで、近年、画像処理技術や通信技術の発達に伴い、次世代の映像コンテンツを提供するシステムとして、任意の視点における映像を三次元的に再現する自由視点映像システムが注目されている。自由視点映像システムに用いられる撮影装置では、高画質の画像を大量に処理することが要求されるため、撮像素子および制御回路それぞれで撮影動作に伴う発熱量が多い。
【０００６】
これに対し、特許文献１に開示されるような中空の放熱部品を用いた放熱構造を採用することが考えられる。しかし、特許文献１に開示の放熱構造では、放熱部品の内部における流路断面積が上下方向において一律であるため、撮影を開始した初期においては、撮像素子および制御回路が発熱して放熱部品が温められても、放熱部品の内部で自然対流によって生じる空気流動が比較的小さい。よって、特許文献１に開示の放熱構造は、撮影装置の内部の温度上昇に対する放熱作用の応答性が悪く、撮像素子や制御回路に熱的損傷や動作不良を招き兼ねない。
【０００７】
本開示の技術は、斯かる点に鑑みてなされたものであり、その目的とするところは、撮影初期において撮影装置の内部の温度上昇に対する放熱作用の応答性を向上させることにある。
【課題を解決するための手段】
【０００８】
上記の目的を達成するために、本開示の技術では、撮像素子および制御回路の近傍に配置された中空の放熱部品において、所定の撮影姿勢での下側部位に、流路断面積が上側部位に対して小さな部分を設けるようにした。
【０００９】
具体的には、本開示の技術は、筐体と、筐体内に収容された撮像素子および制御回路と、撮像素子および制御回路の近傍に配置された中空の放熱部品とを備え、放熱部品が、筐体の外部に通じる開口を両端側に有し、空気が流れる流路を構成している撮影装置を対象とする。本開示の技術に係る撮影装置において、放熱部品は、当該撮影装置が所定の撮影姿勢にあるときに、上下方向に延びる姿勢とされて、一方の開口である第１開口が上方に位置すると共に、他方の開口である第２開口が下方に位置する。そして、放熱部品のうち第２開口側の部位は、第１開口側の部位に比べて流路断面積が小さい部分を有している。
【００１０】
この構成によると、筐体内における撮像素子および制御回路の近傍に、所定の撮影姿勢で上下方向に延びる姿勢とされる中空の放熱部品を設け、その放熱部品の両端側に設けられた、所定の撮影姿勢で上方に位置する第１開口と下方に位置する第２開口とを、筐体の外部にそれぞれ通じさせるようにしたので、放熱部品の内部で温められた空気を自然対流により放熱部品の上側に位置する第１開口から外部に排出すると共に、外部の空気を放熱部品の下側に位置する第２開口から内部に取り込んで、撮影装置の内部で発生した熱を放熱することができる。
【００１１】
そして、中空の放熱部品において、流路断面積が第１開口側の部位に対して小さな部分を第２開口側の部位に設けるようにしたから、撮影初期において、撮像素子や制御回路の発熱により放熱部品の内部で自然対流が生じたときに、放熱部品で下側に位置する第２開口から吸い込まれて下側部位を流通する空気の流速を流路断面積が相対的に小さな部分で高めることができる。放熱部品の下側部位で流速が高められた空気の慣性は、放熱部品の内部で相対的に大きな流路断面積を有する部分にある空気を流動させるのに寄与する。放熱部品の内部にある空気が、放熱部品の下側部位で流路断面積が相対的に小さな部分を流通した空気の慣性により流動することで、放熱部品の内部での自然対流による空気の流動を撮影初期にも比較的大きく生じさせられる。これにより、撮影初期において撮影装置の内部の温度上昇に対する放熱作用の応答性を向上させることができる。
【００１２】
上記撮影装置において、放熱部品は、撮像素子および制御回路のうち一方と熱的に接続され、他方とは離間していることが好ましい。ここでいう「熱的に接続」とは、熱伝導による熱移動が可能なように接続されていることを意味し、物理的に直接接続されている場合の他、両者が熱伝導を妨げない物（部材）を介して接続されている場合をも含む。
【００１３】
この構成によると、撮像素子および制御回路の一方を放熱部品と熱的に接続するようにしたから、撮像素子または制御回路で発生した熱を利用して放熱部品の内部にある空気を積極的に温めることができる。このことは、撮影初期において、放熱部品の内部に自然対流による空気の流動を速やかに生じさせるのに有利である。また、制御素子を放熱部品および制御回路の他方とは離間させるようにしたから、制御回路から撮像素子に熱伝導すること、また撮像素子から制御回路に熱伝導することを防止できる。それにより、撮像素子および制御回路が撮影動作に伴う発熱により互いに過剰な悪影響を及ぼさないようにして、撮影装置の信頼性を高めることができる。
【００１４】
上記撮影装置において、放熱部品の流路断面積は、撮像素子に対向する位置で相対的に大きく、撮像素子に対向する位置よりも第２開口側の位置で相対的に小さいことが好ましい。
【００１５】
この構成によると、放熱部品において撮像素子に対向する位置での流路断面積を相対的に大きくしたから、撮像素子で発生した熱を放熱部品で効率良く受けることができる。また、放熱部品において撮像素子に対向する位置よりも第２開口側の位置での流路断面積を相対的に小さくしたから、上述した放熱部品の内部での自然対流による空気流動を撮影初期にも比較的大きく生じさせられる効果が好適に得られる。
【００１６】
上記撮影装置において、放熱部品の第２開口側の部位内部には、その放熱部品の流路断面積を上方に向かって段階的に大きくする段部が設けられていることが好ましい。
【００１７】
この構成によると、放熱部品の第２開口側の部位に段部を設けるようにしたから、放熱部品で自然対流により下端側の第２開口から吸い込まれた空気が、放熱部品の下側部位で段部が設けられた部分を通過するときに、空気の粘性により渦のような流動を生じる。このことは、放熱部品の内部での自然対流による空気流動を撮影初期にも比較的大きく生じさるのに寄与する。
【００１８】
上記撮影装置において、筐体の下部には、当該撮像装置を支持する支持装置が取り付けられる第１取付部と、第１取付部の側方で放熱部品の第２開口に通じる吸込み口とが設けられていてもよい。この場合、吸込み口は、第１取付部側とは異なる側の側方に向けて開放されていることが好ましい。
【００１９】
この構成によると、筐体の下部に第１取付部と共に設けられた吸込み口を第１取付部側とは異なる側の側方に向けて開放させるようにしたから、第１取付部に取り付けられる支持装置で吸込み口が下方で閉塞されても、吸込み口の側方に開放させた側から外部の空気を放熱部品の第２開口を通じて内部に取り入れることができる。それにより、支持装置の取付部（第１取付部）と吸込み口とが共に筐体の下部に設けられる場合であっても、放熱部品の内部に外部の空気を取り入れるための経路を確保することができる。
【００２０】
上記撮影装置において、筐体のうち所定の撮影姿勢で左右方向における一方の側部を構成する部分には、当該撮像装置を支持する支持装置が取り付けられる第２取付部が設けられていてもよい。この場合、放熱部品の第２開口は、放熱部品の第１開口に比べて開口面積が小さく、その第１開口に対して筐体のうち第２取付部が設けられた側部側に偏在していることが好ましい。
【００２１】
この構成によると、放熱部品の第２開口を、放熱部品の第１開口に対し、筐体において第２取付部がある側部側に偏った位置に相対的に小さく設けるようにしたから、第２取付部に支持装置を取り付けて撮影装置を放熱部品の第１開口および第２開口が左右両側に臨む撮影姿勢で使用する場合、放熱部品の第２開口が第１開口の上側部分よりも下側に位置する。よって、その場合にも、放熱部品の内部で温められた空気を自然対流により放熱部品の第１開口の上側部分から外部に排出すると共に、外部の空気を放熱部品の第２開口から内部に取り込んで、撮影装置の内部で発生した熱を放熱することができる。
【発明の効果】
【００２２】
本開示の技術に係る撮影装置によれば、撮影初期において撮影装置の内部の温度上昇に対する放熱作用の応答性を向上させることができる。
【図面の簡単な説明】
【００２３】
【図１】図１は、実施形態に係る撮影装置の第１撮影姿勢を左前方斜め上側から見た斜視図である。
【図２】図２は、実施形態に係る撮影装置の第１撮影姿勢を右後方斜め下側から見た斜視図である。
【図３】図３は、図１のIII−III線における撮影装置の断面図である。
【図４】図４は、図１のIV−IV線における撮影装置の断面図である。
【図５】図５は、図１のV−V線における撮影装置の断面図である。
【図６】図６は、実施形態に係る撮像装置の第２撮影姿勢での図３に相当する箇所の断面図である。
【発明を実施するための形態】
【００２４】
以下、例示的な実施形態を図面に基づいて詳細に説明する。なお、以下の実施形態では、説明の便宜上、撮影装置について、撮影方向における正面側を「前」、背面側を「後」と称し、所定の撮影姿勢である第１撮影姿勢での高さ方向における上側を「上」、下側を「下」と称し、同じく第１撮影姿勢での撮影方向の正面側を向いて左側を「左」、右側を「右」と称する。
【００２５】
この実施形態では、本開示の技術に係る撮影装置について、任意の視点における映像を三次元的に再現する自由視点映像システムに用いられる撮影装置を例に挙げて説明する。
【００２６】
図１に、撮影装置１の第１撮影姿勢を左前方斜め上側から見た斜視図を示す。図２に、撮影装置１の第１撮影姿勢を右後方斜め下側から見た斜視図を示す。図３に、図１のIII−III線における撮影装置１の断面図を示す。図４に、図１のIV−IV線における撮影装置１の断面図を示す。図５に、図１のV−V線における撮影装置１の断面図を示す。図６に、撮像装置１の第２撮影姿勢での図３に相当する箇所の断面図を示す。なお、図３，図４および図６では、説明の便宜上、支持装置２０１、断面手前側の構成および空気の流れる方向を二点鎖線で示している。
【００２７】
図１および図２に示す撮影装置１は、例えば、スポーツの競技場の周囲に多数設置されて、競技場内を同じタイミングで多方向から撮影するのに使用される。自由視点映像システムは、それら多数の撮影装置１をネットワークで繋いで構築される。自由視点映像システムでは、各撮影装置１で撮影した動画データから個々の被写体の識別および追跡を行う共に三次元空間での位置を推定することにより、擬似的な三次元空間のデータを構築して任意の視点における映像を生成する。
【００２８】
撮影装置１は、図示しない交換式のレンズユニットと、図１〜図５に示す装置本体３とを備えている。
【００２９】
レンズユニットは、複数枚のレンズからなるレンズ群と、光量を調整する絞りと、レンズを移動させると共に絞りを調整するレンズ制御部と、これらレンズ群、絞りおよびレンズ制御部を収容するレンズ鏡筒とを備えている。レンズユニットは、装置本体３に対して着脱可能に構成されている。レンズユニットには、公知のズームレンズを用いることが可能である。
【００３０】
装置本体３は、直方体の正面視で四隅を切り欠いたような形状とされた筐体５と、筐体５内に収容された通信モジュール７、レンズ接点モジュール９、撮像モジュール１１および放熱部品１３とを備えている。
【００３１】
筐体５は、前側に位置するフロントケース１５と、後側に位置するリアケース１７とによって構成されている。フロントケース１５は、奥行きが相対的に短く、後方に臨む外周縁部を有している。リアケース１７は、奥行きが相対的に長く、前方に臨む外周縁部を有している。これらフロントケース１５とリアケース１７とは、外周縁部同士を突き合わせた状態で複数箇所をねじ１９で止めることにより互いに固定されている。
【００３２】
フロントケース１５およびリアケース１７は、金属製または樹脂製のケースであって、撮影装置１の放熱性の観点からは金属製であることが好ましい。
【００３３】
筐体５の下面には、撮影装置１を支持する三脚などの支持装置２０１（図３に示す）が取り付けられる第１取付部２１が３つ設けられている。これら３つの第１取付部２１は、前後方向において互いに間隔をあけて配置されている。撮影装置１は、いずれか１つの第１取付部２１にて支持装置２０１を用いて上下方向に支持されることにより、第１撮影姿勢とされる。第１撮影姿勢は、例えば横撮りの撮影姿勢である。
【００３４】
さらに、筐体５の下面において、前側に位置する２つの第１取付部２１の間で第１取付部２１の右側方位置には、吸込み口２３が設けられている。吸込み口２３は、第１取付部２１とは異なる側である右側方に向けて開放されている。そのことで、支持装置２０１がいずれの第１取付部２１に取り付けられても、吸込み口２３が右側方で開放されていることにより空気の流通経路を確保して、支持装置２０１により完全には塞がれないようになっている。
【００３５】
また、筐体５の右側面には、支持装置２０１が取り付けられる第２取付部２５が設けられている。撮影装置１は、第２取付部にて支持装置２０１を用いて上下方向に支持されることにより、第２撮影姿勢とされる。第２撮影姿勢は、例えば縦撮りの撮影姿勢である。
【００３６】
第１取付部２１および第２取付部２５はそれぞれ、ねじ受け部品２７によって構成されている。後側に位置する２つの第１取付部２１と第２取付部２５とを構成するねじ受け部品２７は、リアケース１７にねじ２９によって取り付けられている。前側に位置する１つの第１取付部２１を構成するねじ受け部品２７は、フロントケース１５とリアケース１７との境界部分に設けられ、両方のケース１５，１７にねじ２９によって取り付けられている。
【００３７】
フロントケース１５の前面には、円形の開口３１が設けられている。フロントケース１５の開口３１の周縁部の前側には、レンズユニットを着脱可能なリング状のレンズマウント３３が設けられている。レンズユニットは、レンズマウント３３に対して取り付けられる。リアケース１７の上面には、閃光装置（ストロボ）などの撮影用アクセサリが取り付けられるアクセサリシュー３５が設けられている。リアケース１７におけるアクセサリシュー３５の前側には、放熱部品１３が挿入された挿入孔３７を有している。
【００３８】
リアケース１７の後部における下側の一部には、自由視点映像システムのネットワークに接続するための通信インタフェース部３９が設けられている。通信インタフェース部３９には、ＬＡＮ（Local Area Network）ケーブルとの接続に用いられるＬＡＮコネクタ４１の接続口４３や、ＳＤ（Secure Digital）カードなどのメモリカードが装着されるカードソケットの挿入口４５、その他の入出力装置の接続部４７、リセットスイッチなどの各種スイッチ４９が設けられている。
【００３９】
リアケース１７のうち通信インタフェース部３９の上側で筐体５の後部を構成する部分には、上方および後方に開放された凹部５１が設けられている。リアケース１７の後部において、通信インタフェース部３９の上側および左右両側には、上下方向および前後方向に延びる板状の放熱フィン５３が複数設けられている。複数の放熱フィン５３は、左右方向に互いに間隔をあけて対向しており、互いの間に空気の流路となり得る空間を形成している。
【００４０】
通信インタフェース部３９の上側に設けられた各放熱フィン５３は、リアケース１７の前後方向における中程に位置する凹部５１の前面から後方に向かって延びている。通信インタフェース部３９の左右両側に設けられた各放熱フィン５３は、通信インタフェース部３９の上側にある放熱フィン５３と対向する位置まで延びている。これら複数の放熱フィン５３は、撮影装置１の内部（特に後述する通信制御回路５７および撮像制御回路１０７）で発生した熱を外部に放散する役割を担う。
【００４１】
通信モジュール７は、自由視点映像システムのネットワークとの通信と電力制御とを行う機能部品である。この通信モジュール７は、筐体５の後部下側にある収容スペースでリアケース１７の通信インタフェース部３９の前方位置に配置されている。通信モジュール７は、ＬＡＮコネクタ４１と、通信制御用のプリント基板５５とを備えている。プリント基板５５には、ＬＡＮコネクタ４１が接続されると共に、通信制御回路５７が搭載されている。
【００４２】
通信制御回路５７は、ＤＣ／ＤＣコンバータなどの電源ＩＣ（Integrated Circuit）やＡＳＩＣ（Application Specific Integrated Circuit）などからなる通信プロセッサ、その他の電力供給や通信制御のための電子回路部品を含む。この実施形態に例示する撮影装置１は、通信制御回路５７の機能により、ＰｏＥ（Power over Ethernet（登録商標））に対応し、ＬＡＮコネクタ４１に接続されるＬＡＮケーブルで通信と電力供給とが行われるようになっている。
【００４３】
通信制御回路５７は、撮影装置１の動作に伴って発熱する発熱源の１つである。通信制御回路５７での発熱は、撮影装置１の性能低下や動作不良といった不具合を招く。そのため、この実施形態では、通信制御回路５７の熱を外部に逃がすように熱対策を講じている。具体的には、通信制御回路５７の発熱箇所を、リアケース１７の下側部位から内方（前方）に延びる突出片５９および放熱部品１３に伝熱シート６１を介して接触させている（図３および図４参照）。そのことで、通信制御回路５７で発生した熱をリアケース１７の下側部位および放熱部品１３に伝えて放熱するようになっている。
【００４４】
レンズ接点モジュール９は、レンズマウント３３の後側でフロントケース１５の開口３１内側に設けられた接点ホルダ６３と、接点ホルダ６３に設けられた複数の接点部６５（端子）とを備えている。接点ホルダ６３は、矩形の四隅を切り欠いたような形状の開口６７を中央部に有し、レンズマウント３３の内周側に迫り出している。複数の接点部６５は、接点ホルダ６３のうちレンズマウント３３の内周側に位置する部分に、開口６７外周に沿って整列した状態に設けられている。
【００４５】
レンズ接点モジュール９の各接点部６５は、ＦＰＣ（Flexible Printed Circuit）６９および中継ぎ基板７１を介して撮像モジュール１１と接続されている。撮像モジュール１１に含まれる撮像制御回路１０７は、レンズユニットがレンズマウント３３に装着されると、レンズユニットに含まれるレンズ制御部と電気的に接続されて通信を行い、レンズ制御部を通じて絞りやレンズなどの撮像光学系の駆動を制御するようになっている。
【００４６】
撮像モジュール１１は、レンズユニットを通して入射した光の赤外線をカットするＩＲ（Infrared Radiation）フィルタ７３と、レンズユニットのレンズ群による結像を電気信号に変換する撮像素子７５と、撮像素子７５の駆動を制御すると共に撮像素子７５からの出力信号を処理するための撮像制御用のプリント基板７７とを備えている。
【００４７】
ＩＲフィルタ７３は、撮像素子７５の前方に配置されている。ＩＲフィルタ７３は、センサホルダ７９により撮像素子７５と共にプリント基板８１上に保持されている。これらＩＲフィルタ７３、撮像素子７５およびプリント基板８１はユニット化されてセンサユニット８３を構成している。
【００４８】
接点ホルダ６３の外周後側には、センサユニット８３を取り囲むセンサシャーシ８５が配置されている。センサユニット８３は、そのセンサシャーシ８５にねじ９１で固定されたブラケット８９に支持されている。センサユニット８３と接点ホルダ６３との間には、フランジバックを初めとする寸法を補足するためのシャッタスペーサ９３が配置されている。
【００４９】
撮像素子７５は、撮像面を接点ホルダ６３の開口６７に対応させて設けられており、装置本体３からレンズユニットを取り外した状態においてはレンズマウント３３の内側で撮像面が露出する。撮像素子７５は、例えば、ＣＭＯＳ（Complementary Metal Oxide Semiconductor）イメージセンサやＣＣＤ（Charge Coupled Device）イメージセンサによって構成されている。
【００５０】
撮像素子７５は、撮影装置１の動作に伴って発熱する発熱源の１つである。撮像素子７５での発熱は、撮影画像におけるノイズの増大といった不具合を招く。そのため、この実施形態では、撮像素子７５の熱を外部に逃がすように熱対策を講じている。具体的には、筐体５の内部に放熱部品１３を設け、撮像素子７５を放熱部品１３に熱的に接続することで、放熱部品１３内部での自然対流により撮像素子７５の熱を外部に放散させることとしている。
【００５１】
プリント基板７７は、センサユニット８３（撮像素子７５）と前後方向に間隔をあけて対向する姿勢でリアケース１７内の後部に配置されている。プリント基板７７の前面には、ＦＰＣ９５が接続される配線コネクタ９７などが設けられている。プリント基板７７は、ＦＰＣ９５および中継ぎ基板９９を介してセンサユニット８３のプリント基板８１と接続されており、撮像素子７５と通信するようになっている。中継ぎ基板９９は、フロントケース１５にねじ１０１で固定されたブラケット１０３に対しねじ１０５で締結されることにより支持されている。
【００５２】
プリント基板７７の後面には、カードソケットやＬＡＮコネクタ４１以外の入出力装置などが電気的に接続されると共に、撮像制御回路１０７が搭載されている。撮像制御回路１０７は、Ａ／Ｄコンバータなどの信号処理回路やバッファメモリ、ＡＳＩＣなどからなる画像処理プロセッサ、その他の撮像動作における信号処理のための電子回路部品を含む。撮像制御回路１０７は、ＦＰＣ１０９および中継ぎ基板１１１などを介して通信制御回路５７から電力が供給されると共に、通信制御回路５７と通信する。
【００５３】
撮像制御回路１０７は、撮影装置１の動作に伴って発熱する発熱源の１つである。そのため、この実施形態では、撮像制御回路１０７の熱を外部に逃がすように熱対策を講じている。具体的には、撮像制御回路１０７は、リアケース１７の放熱フィン５３が設けられた後部壁面との間に伝熱シート１１３を挟み込んでいる。このように、撮像制御回路１０７は、リアケース１７の後部と熱的に接続されている。そのことで、撮像制御回路１０７で発生した熱を、伝熱シート１１３を介してリアケース１７の後部に伝え、各放熱フィン５３を通じて放熱するようになっている。
【００５４】
伝熱シート１１３は、シリコーンゴムやアクリル樹脂などからなり、高い柔軟性と優れた熱伝導性を併せ持っている。リアケース１７の後部壁面において、撮像制御回路１０７に対応する各箇所には、リアケース１７の内方（前方）に突出した突出部１１５が設けられている。伝熱シート１１３は、それら突出部１１５と撮像制御回路１０７との間に挟み込まれることで、両者に密着している。そのことで、撮像制御回路１０７の放熱性が高められている。
【００５５】
放熱部品１３は、薄型ケース状の中空部品であって、筐体５の外部に通じる開口１１７，１１９を両端側に有している。放熱部品１３は、撮像モジュール１１のプリント基板７７とセンサユニット８３（撮像素子７５）との間に配置されて、それらプリント基板７７およびセンサユニット８３の両方に対向している。このように、放熱部品１３は、撮像素子７５および撮像制御回路１０７の近傍に配置されている。放熱部品１３は、撮影装置１が第１撮影姿勢にあるときに、上下方向に延びる姿勢とされて、一方の開口である第１開口１１７が上方に位置すると共に、他方の開口である第２開口１１９が下方に位置する。
【００５６】
放熱部品１３は、第１開口１１７および第２開口１１９を有する部品本体１２１と、部品本体１２１の開放された側部開口を覆うサイドカバー１２３とによって構成されている。これら部品本体１２１およびサイドカバー１２３はそれぞれ、金属製または樹脂製の部材であって、撮影装置１の放熱性の観点からは金属製であることが好ましい。
【００５７】
部品本体１２１には、サイドカバー１２３で覆われる側部開口に向けて突出する複数のボス１２５が設けられている。サイドカバー１２３は、部品本体１２１に対して、各ボス１２５にねじ１２７で締結されることにより取り付けられている。この放熱部品１３は、空気が流れる流路１２９を構成している。
【００５８】
放熱部品１３は、センサユニット８３寄りの位置に配置されている。放熱部品１３の前面には、伝熱シート１３１の一方側が貼り付けられている。伝熱シート１３１の他方側は、センサユニット８３を支持するブラケット８９の後面に貼り付けられている。このように、放熱部品１３は、伝熱シート１３１およびブラケット８９を介してセンサユニット８３に接続されていることで、撮像素子７５と熱的に接続されている。放熱部品１３は、撮像モジュール１１のプリント基板７７および撮像制御回路１０７とは離間している。
【００５９】
放熱部品１３（部品本体１２１）の第１開口１１７の周縁部分には、外周に突出したフランジ１３３が設けられている。放熱部品１３は、リアケース１７の挿入口４５から筐体５の内部に挿入されて、リアケース１７における挿入口４５の周縁部分にフランジ１３３をねじ１３５で締結することにより、筐体５に取り付けられている。放熱部品１３の第２開口１１９は、筐体５の下面に設けられた吸込み口２３に接続されている。
【００６０】
放熱部品１３のうち第２開口１１９側で左側部位の内部には、放熱部品１３の流路断面積を第１開口１１７側に向かって段階的に大きくする段部１３７が複数（図３に示す例では２つ）設けられている。これら複数の段部１３７は、放熱部品１３において撮像素子７５に対向する位置よりも第２開口１１９側に配置されている。そのことで、放熱部品１３の流路断面積は、撮像素子７５に対向する位置で相対的に大きく、撮像素子７５に対向する位置よりも第２開口１１９側の位置で相対的に小さくなっている。
【００６１】
このように、放熱部品１３のうち第２開口１１９側の部位は、第１開口１１７側の部位に比べて流路断面積が小さい部分を有している。放熱部品１３の流路断面積は、第２開口１１９が設けられた端部またはその開口端寄りの部分で最も小さくなっている。そして、放熱部品１３の第２開口１１９は、放熱部品１３の第１開口１１７に比べて開口面積が小さく、第１開口１１７に対して筐体５のうち第２取付部２５が設けられた右側部側に偏在している。
【００６２】
この実施形態の撮影装置１によると、撮像素子７５と撮像制御回路１０７との間に横撮りの撮影姿勢で上下方向に延びる中空の放熱部品１３が設けられているので、撮像制御回路１０７で発生した熱が撮像素子７５に伝わること、また撮像素子７５で発生した熱が撮像制御回路１０７に伝わることを、放熱部品１３により遮って抑制することができる。
【００６３】
また、放熱部品１３の両端側に設けられた、第１撮影姿勢で上方に位置する第１開口１１７と下方に位置する第２開口１１９とが、筐体５の外部にそれぞれ通じているので、放熱部品１３の内部で温められた空気を自然対流により放熱部品１３の上側に位置する第１開口１１７から外部に排出すると共に、外部の空気を放熱部品１３の下側に位置する第２開口１１９から内部に取り込んで、撮影装置１の内部で発生した熱を放熱することができる。
【００６４】
そして、この実施形態の撮影装置１によると、中空の放熱部品１３において、第１開口１１７側の部位に対して流路断面積の小さな部分が第２開口１１９側の部位に設けられているので、撮影初期において、撮像素子７５や撮像制御回路１０７の発熱により放熱部品１３の内部で自然対流が生じたときに、放熱部品１３で下側に位置する第１開口１１７から吸い込まれて下側部位を流通する空気の流速を流路断面積が相対的に小さな部分で高めることができる。
【００６５】
放熱部品１３の下側部位で流速が高められた空気の慣性は、放熱部品１３の内部で相対的に大きな流路断面積を有する部分にある空気を流動させるのに寄与する。放熱部品１３の内部にある空気が放熱部品１３の下側部位で流路断面積が相対的に小さな部分を流通した空気の慣性により流動することで、図３に示すように、放熱部品１３の内部での自然対流による空気の流動を撮影初期にも比較的大きく生じさせられる。これにより、撮影初期において撮影装置１の内部の温度上昇に対する放熱作用の応答性を向上させることができる。
【００６６】
また、この実施形態の撮影装置１によると、撮像素子７５が放熱部品１３に熱的に接続されているので、撮像素子７５で発生した熱を利用して放熱部品１３の内部にある空気を積極的に温めることができる。このことは、撮影初期において、放熱部品１３の内部に自然対流による空気の流動を速やかに生じさせるのに有利である。
【００６７】
さらに、撮像制御回路１０７が放熱部品１３とは離間しているので、撮像制御回路１０７から撮像素子７５に熱伝導すること、また撮像素子７５から撮像制御回路１０７に熱伝導することを防止できる。それにより、撮像素子７５および撮像制御回路１０７が撮影動作に伴う発熱により互いに過剰な悪影響を及ぼさないようにして、撮影装置１の信頼性を高めることができる。
【００６８】
また、この実施形態の撮影装置１によると、放熱部品１３において撮像素子７５に対向する位置での流路断面積が相対的に大きくなっているので、撮像素子７５で発生した熱を放熱部品１３で効率良く受けることができる。また、放熱部品１３において撮像素子７５に対向する位置よりも第２開口１１９側の位置での流路断面積が相対的に小さくなっているので、上述した放熱部品１３の内部での自然対流による空気流動を撮影初期にも比較的大きく生じさせられる効果が好適に得られる。
【００６９】
また、この実施形態の撮影装置１によると、放熱部品１３の第２開口１１９側の部位に複数の段部１３７が設けられているので、放熱部品１３で自然対流により下側に位置する第２開口１１９から吸い込まれた空気が、放熱部品１３の下側部位で段部１３７が設けられた部分を通過するときに、空気の粘性により図３に示す渦のような流動を生じる。このことは、放熱部品１３の内部での自然対流による空気流動を撮影初期にも比較的大きく生じさるのに寄与する。
【００７０】
また、この実施形態の撮影装置１によると、筐体５の下部に第１取付部２１と共に設けられた吸込み口２３を第１取付部２１側とは異なる側の右側方に向けて開放させるようにしたから、第１取付部２１に取り付けられる支持装置２０１により吸込み口２３が下方で閉塞されても、吸込み口２３の右側方に開放させた側から外部の空気を放熱部品１３の第２開口１１９を通じて内部に取り入れることができる。それにより、支持装置２０１の取付部（第１取付部２１）と吸込み口２３とが共に筐体５の下部に設けられる場合であっても、放熱部品１３の内部に外部の空気を取り入れるための経路を確保することができる。
【００７１】
また、この実施形態の撮影装置１によると、放熱部品１３の第２開口１１９が、放熱部品１３の第１開口１１７に対して、筐体５において第２取付部２５がある右側部側に偏った位置に相対的に小さく設けられているので、第２取付部２５に支持装置２０１を取り付けて撮影装置１を図６に示す第２撮影姿勢で使用する場合、放熱部品１３の第２開口１１９が第１開口１１７の上側部分よりも下側に位置する。よって、この場合にも、放熱部品１３の内部で温められた空気を自然対流により放熱部品１３の第１開口１１７の上側部分から外部に排出すると共に、外部の空気を放熱部品１３の第２開口１１９から内部に取り込んで、撮影装置１の内部で発生した熱を放熱することができる。
【００７２】
以上のように、本開示の技術の例示として、好ましい実施形態について説明した。しかし、本開示の技術は、これに限定されず、適宜、変更、置き換え、付加、省略などを行った実施の形態にも適用可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００７３】
例えば、上記実施形態について、以下のような構成としてもよい。
【００７４】
上記実施形態では、放熱部品１３について流路断面積が第２開口１１９の設けられた端部またはその開口端寄りの部分で最も小さくなっている構成を例に挙げたが、これに限らない。例えば、放熱部品１３の流路断面積は、放熱部品１３が構成する流路のうち撮像素子７５が対向する箇所の直ぐ第２開口１１９側（第１撮影姿勢での直下）の中途部分で最も小さくなっていてもよい。
【００７５】
上記実施形態では、放熱部品１３が、撮像素子７５に熱的に接続され、且つ撮像制御回路１０７と離間しているとしたが、これに限らない。放熱部品１３は、撮像モジュール１１のプリント基板７７と伝熱シートを介して接続されるなどして撮像制御回路１０７に熱的に接続され、且つ撮像素子７５とは離間していてもよい。また、放熱部品１３は、撮像素子７５および撮像制御回路１０７の両方と離間していても構わない。これらの場合、撮影装置１は、放熱部品１３とは別に、撮像素子７５の熱を外部に放散するための放熱手段を備えていることが好ましい。
【００７６】
上記実施形態では、放熱部品１３の第２開口１１９側の部位における流路断面積は、複数の段部１３７が設けられていることで、第１開口１１７側に向かって段階的に大きくなっているとしたが、これに限らない。放熱部品１３の第２開口１１９側の部位における流路断面積は、第１開口１１７側に向かうに連れて放熱部品１３の幅方向における外側に延びる、放熱部品１３の長さ方向および幅方向に対して傾斜した傾斜部を、段部１３７に代えて設けることで、第１開口１１７側に向かって連続的に大きくなっていてもよい。要は、放熱部品１３の第２開口１１９側の部位に、第１開口１１７側の部位に比べて流路断面積の小さい部分が設けられていればよい。
【００７７】
上記実施形態では、放熱部品１３が撮像モジュール１１のプリント基板７７（撮像制御回路）とセンサユニット８３（撮像素子７５）との間に配置されているとしたが、これに限らない。放熱部品１３は、撮像素子７５および撮像制御回路１０７の間でなくても、撮像素子７５および撮像制御回路１０７の近傍に配置されていればよい。例えば、撮像モジュール１１のプリント基板７７とセンサユニット８３とが互いに対向して配置された位置関係にない場合、放熱部品１３は、撮像素子７５および撮像制御回路１０７に対し、これらで発生した熱が熱伝導や熱伝達、熱輻射により伝えられる近傍位置に配置されていればよい。
【００７８】
上記実施形態では、撮影装置１について、放熱部品１３の第１開口１１７が上方に臨み、第２開口１１９が下方に臨む第１撮影姿勢が横撮りの撮影姿勢であり、放熱部品１３の第１開口１１７が右方に臨み、第２開口１１９が左方に臨む第２撮影姿勢が縦撮りの撮影姿勢であることを例示としたが、これに限らない。撮影装置１について、第１撮影姿勢が縦撮りの撮影姿勢であり、第２撮影姿勢が横撮りの撮影姿勢であってもよい。
【００７９】
上記実施形態では、撮影装置１は、交換式のレンズユニットを装置本体３と別体で備えるとしたが、これに限らない。撮影装置１は、レンズユニットが装置本体３と一体的に構成されたものであってもよい。
【００８０】
上記実施形態では、筐体５の下部に３つの第１取付部２１、筐体５の側部に１つの第２取付部２５が設けられている形態を例示したが、これに限らない。第１取付部２１は、２つ以下であってもよいし、４つ以上設けられていてもよい。また、第２取付部２５についても、２つ以上設けられていても構わない。撮影装置１が支持装置２０１を用いて固定設置する用途で使用されない場合、第１取付部２１および第２取付部２５は設けられていなくてもよい。
【００８１】
上記実施形態では、本開示の技術に係る撮影装置について、自由視点映像システムに用いられる撮影装置１を例に挙げて説明したが、これに限らない。本開示の技術は、高解像度動画の連続撮影などにより発熱量が大きくなる撮影装置全般に適用することが可能であり、特定の用途に限定されない。例えば、工場や建設現場、公共施設などの監視カメラにも適用することが可能である。
【産業上の利用可能性】
【００８２】
以上説明したように、本開示の技術は、放熱構造を要する撮影装置について有用である。
【符号の説明】
【００８３】
１    撮影装置
３    装置本体
５    筐体
７    通信モジュール
９    レンズ接点モジュール
１１    撮像モジュール
１３    放熱部品
１５    フロントケース
１７    リアケース
１９    ねじ
２１    第１取付部
２３    吸込み口
２５    第２取付部
２７    ねじ受け部品
２９    ねじ
３１    開口
３３    レンズマウント
３５    アクセサリシュー
３７    挿入孔
３９    通信インタフェース部
４１    ＬＡＮコネクタ
４３    接続口
４５    挿入口
４７    接続部
４９    スイッチ
５１    凹部
５３    放熱フィン
５５    プリント基板
５７    通信制御回路
５９    突出片
６１    伝熱シート
６３    接点ホルダ
６５    接点部
６７    開口
６９    ＦＰＣ
７１    中継ぎ基板
７３    ＩＲフィルタ
７５    撮像素子
７７    プリント基板
７９    センサホルダ
８１    プリント基板
８３    センサユニット
８５    センサシャーシ
８９    ブラケット
９１    ねじ
９３    シャッタスペーサ
９５    ＦＰＣ
９７    配線コネクタ
９９    中継ぎ基板
１０１    ねじ
１０３    ブラケット
１０５    ねじ    
１０７    撮像制御回路
１０９    ＦＰＣ
１１１    中継ぎ基板
１１３    伝熱シート
１１５    突出部
１１７    第１開口
１１９    第２開口
１２１    部品本体
１２３    サイドカバー
１２５    ボス
１２７    ねじ
１２９    流路
１３１    伝熱シート
１３３    フランジ
１３５    ねじ
１３７    段部
２０１    支持装置
【図１】
2020202244.tif 000003
【図２】
2020202244.tif 000004
【図３】
2020202244.tif 000005
【図４】
2020202244.tif 000006
【図５】
2020202244.tif 000007
【図６】
2020202244.tif 000008